(57)【要約】      （修正有）【課題】従来より難しいとされていたグリーンエッジからのピン寄せを容易に行うことができるパタークラブを提供する。【解決手段】管材7a,7b,7c,7dを入り子状に嵌合してなる方向棒６の基端部をヘッドのバックフェイス面５に対して垂直方向に取り付けると共に、そのヘッドのフェース面４が20度〜30度に傾斜させたゴルフ用パタークラブ。【選択図】図１
0003114521.tif 000002
【実用新案登録請求の範囲】
【請求項１】
複数の管材を入り子状に伸縮自在に嵌合してなる方向棒の基端部をヘッドのバックフェイス面に対して垂直方向に取り付けるようにしたことを特徴とするゴルフ用パタークラブ。
【請求項２】
ヘッドのフェース面が所定角度で傾斜してなる請求項１記載のゴルフ用パタークラブ。
【考案の詳細な説明】
【技術分野】
【０００１】
この考案は、例えばグリーンエッジでの打球に好適なゴルフ用パタークラブに関するものである。
【背景技術】
【０００２】
ピンの近くにあるグリーンエッジにおける打球は適当な角度で打ち上げると同時に、ピンに確実に寄せる困難な技術が要求され、したがってドライバーで３００ヤードを飛ばしてもグリーンエッジで３打〜４打してはスコアーを伸ばすことができないことが屡々ある。
【０００３】
グリーンエッジまで５ヤード〜２５ヤードのアプローチでピンに寄せる場合、従来アイアンクラブが使用されているが、アイアンクラブはシャンク、ダフリ等があり、使いづらく、したがって素人がこのクラブを使用してグリーンエッジにおいて満足な打球を行うことは極めて困難である。
【０００４】
これに対して、パタークラブはグリーン上で確実にピン傍に寄せるのに適しているが、ボールを適当な角度で打ち上げることができない、クラブを常に確実にピンの方向に向けて打球することができない、即ちブレが生じてしまう等の欠点がある。
【０００５】
パタークラブの打球時におけるブレを解消する方法としては、クラブヘッドの背面側にガイド棒乃至方向棒を取り付けることが提案されている（実用新案登録第057144号、特開2005-87554）。
【特許文献１】実用新案登録第057144号、特開2005-87554
【考案の開示】
【考案が解決しようとする課題】
【０００６】
このパタークラブはガイド棒乃至方向棒によりヘッド本体のスイング方向を正確に認識すること、スイング中にスゥイートスポットの位置を視覚的に認識すること、ボールを打った瞬間におけるヘッド本体の回転ブレの有無を認識すること等を目的としたものである。
【０００７】
しかし、バックスゥイングからフォロースゥイングまでの長さはピンからボールまでの距離など個々のプレヤーの置かれた状況に応じて異なるが、上記のガイド棒乃至方向棒は一定の長さであり、したがってプレヤーによっては長すぎたり、或いは短すぎたりしてその目的を達成できないことが屡々ある。
【課題を解決するための手段】
【０００８】
この考案は、上記実情に鑑み、複数の管材を入り子状に伸縮自在に嵌合してなる方向棒の基端部をヘッドのバックフェイス面に対して垂直方向に取り付けるようにしたゴルフ用パタークラブを提案するものである。
【０００９】
即ち、この考案では方向棒は数の管材を入り子状に伸縮自在に嵌合して構成され、バッティングに際してはピンからボールまでの距離など個々のプレヤーの置かれた状況に応じてその長さを調整する。
【００１０】
そして、バッティングに際しては、先ず方向棒によりヘッドのフェース面を打撃方向に直角に合わせ、次に方向棒を横振れさせないようにバックスイングを行い、更に方向棒を横振れさせないようにフォロースイングを行う。
【００１１】
したがって、この考案ではヘッドのフェース面に対してボールが直角方向に当たって所定の方向に打球され、ボールを確実にピンに寄せることができる。
【００１２】
また、ヘッドのフェース面を所定の角度、例えば20度〜30度傾斜させることによりボールを適当な角度で打ち上げることができ、したがってこの考案は上述の打球の方向性と相俟ってグリーンエッジにおけるパタークラブとして好適なものとなる。
【００１３】
勿論、この考案はヘッドのフェース面を垂直にしてグリーン上におけるアプローチ用のパタークラブとしても好適である。
【００１４】
なお、この考案において方向棒を最短の長さに縮めれば、バック等に収まるので、携帯に便利である。
【考案の効果】
【００１５】
以上要するに、この考案によれば方向棒の長さを個々のプレヤーの置かれた状況に応じて伸縮自在調整することができるので、方向性のコントロールされた打球をすることができる。
【００１６】
また、ヘッドのフェース面を所定の角度に傾斜させることによりボールを適当な角度で打ち上げることができ、したがってこの考案は上述の打球の方向性と相俟ってグリーンエッジにおけるパタークラブとして好適なものとなる。
【考案を実施するための最良の形態】
【００１７】
複数の管材を入り子状に嵌合してなる方向棒の基端部をヘッドのバックフェイス面に対して垂直方向に取り付けると共に、そのヘッドのフェース面が20度〜30度に傾斜させたゴルフ用パタークラブ。
【実施例１】
【００１８】
以下、この考案を図示の実施例に基づいて詳細に説明すると、１はこの考案に係るパタークラブ、２はシャフト、３はヘッド本体、４はヘッド本体３のフェース面、５はヘッド本体３のバックフェース面である。
【００１９】
６は管材7a,7b,7c,7dを入り子状に伸縮自在に嵌合してなる方向棒で、方向棒６はその基端部をバックフェイス面５の中央にバックフェース面５に対して垂直方向に取り付ける。
【００２０】
なお、この実施例ではヘッド本体の幅95cmに対して方向棒６はその長さを最大10cmに伸張でき、また最小4cmに伸縮できるようにしてある。
【００２１】
また、フェース面４は所定角度（θ）、例えば20度〜30度の範囲で傾斜させると共に、フェース面４には滑り止め面８を設ける。
【００２２】
以上のような構成において、グリーンエッジ等におけるバッティングに際してはピンからボールまでの距離など個々のプレヤーの置かれた状況に応じて方向棒６の長さを調整する。
【００２３】
次に、方向棒６の目視によりヘッドのフェース面４をボールａの打撃方向に直角に合わせ、方向棒６を横振れさせないようにバックスイングを行い、方向棒６を横振れさせないようにフォロースイングを行う。
【００２４】
これにより、ボールａはフェース面４の傾斜に従って適当な角度で打ち上げられ、しかも上述のスイングによりボールａはフェース面４によりピンに向けて打球されるので、ボールａを確実にピンに寄せることができる。
【００２５】
したがって、この考案に係るパタークラブを使用することにより従来より難しいとされていたグリーンエッジからのピン寄せを容易に行うことができ、これによりゴルフ全体の技術向上の意欲を高めることができる。
【産業上の利用可能性】
【００２６】
以上要するに、この考案によれば従来より難しいとされていたグリーンエッジからのピン寄せを容易に行うことができる。
【図面の簡単な説明】
【００２７】
【図１】この考案に係るパタークラブの縦断側面図
【図２】同上の平面図
【符号の説明】
【００２８】
１はこの考案に係るパタークラブ
２はシャフト
３はヘッド本体
４はヘッド本体のフェース面
５はヘッド本体のバックフェース面
６は方向棒
7a,7b,7c,7dは管材
８は滑り止め面
ａはボール
【図１】
0003114521.tif 000003
【図２】
0003114521.tif 000004